(57)【特許請求の範囲】
【請求項１】
排水性の土嚢として屋外に設置されるものであって袋状のネットの中に石が充填された砂利ネットを洗浄する方法であって、
パレットの上に前記砂利ネットを載置する載置工程と、
移動式昇降機を用いて前記パレットを水が貯留された貯水槽内に運ぶ搬送工程と、
前記貯水槽内で前記パレットを昇降させて前記砂利ネットを洗浄する洗浄工程と、を含み、
前記パレットは、
前記砂利ネットが載置される網状かつ平面状の載置板部と、
前記載置板部の上に、前記移動式昇降機の一部が係止される部位を備えた係止枠部と、を有し、
前記係止枠部は、前記載置板部と前記係止枠部の間に介設されたヒンジ部によって前記載置板部に対して傾倒可能に形成されている
こと特徴とする砂利ネットの洗浄方法。
【請求項２】
前記貯水槽は、車両に搭載されており、前記パレット及び前記移動式昇降機とともに移動することを特徴とする請求項１に記載の砂利ネットの洗浄方法。
【請求項３】
排水性の土嚢として屋外に設置されるものであって袋状のネットの中に石が充填された砂利ネットを水の中で昇降させて洗浄するためのパレットであって、
前記砂利ネットが載置される網状かつ平面状の載置板部と、
前記載置板部の上に、移動式昇降機の一部が係止される部位を備えた係止枠部と、
前記載置板部と前記係止枠部の間に介設されたヒンジ部と、を有することを特徴とする砂利ネットを洗浄するためのパレット。
【請求項４】
排水性の土嚢として屋外に設置される砂利ネット内の石を水の中で昇降させて洗浄するためのパレットであって、
前記石が載置される網状かつ平面状の載置板部と、
前記載置板部の周囲に立設された網状の壁部と、
前記壁部の上に、移動式昇降機の一部が係止される部位を備えた係止枠部と、を有し、
前記載置板部は、前記壁部に対して開閉可能に形成されており、
前記載置板部及び前記壁部の網目は、前記石の粒径よりも小さい寸法で形成されていることを特徴とする石を洗浄するためのパレット。
【発明の詳細な説明】
【技術分野】
【０００１】
本発明は、馬場等のスポーツフィールドで透水性の土嚢として用いられる砂利ネットの洗浄方法及び砂利ネットを洗浄するためのパレットに関する。
【背景技術】
【０００２】
馬場のダートコースの表層体は、クッション砂やゴムチップ等の粒径の小さい表層材料を敷きつめて構成されている。この表層材料が風雨によって外部に流出しないように、ダートコースの脇に、例えば「砂利ネット」と呼ばれる複数の透水性の土嚢を配置することが知られている。特許文献１に記載の通常の土嚢であると、ダートコース上に水が溜まってしまうため、砂利ネットは、袋状のネットの中に比較的粒径の大きい単粒砕石が充填されて構成されている。砂利ネットによれば、表層材料の流出を防止するとともにダートコースに溜まった水を排水することができる。
【０００３】
砂利ネットは、長期間使用すると砕石間の目地に表層材料や、草、根等が入り込み目詰まりを起こす可能性があるため、定期的に洗浄を行うことが好ましい。従来は、砂利ネットの洗浄を行う際には、作業員が例えば２人がかりで砂利ネットを持ち上げ、タイヤショベルのホッパー内に貯留された水の中で砂利ネットを昇降させ表層材料や草、根等を洗い落としていた。
【先行技術文献】
【特許文献】
【０００４】
【特許文献１】特開平１１−２２９３４０
【発明の概要】
【発明が解決しようとする課題】
【０００５】
しかしながら、砂利ネットは非常に重く、また、例えば一周約６０００ｍダートコースにおいては砂利ネットを１万個以上設置するため、従来の洗浄方法では作業者の負担が大きく、作業時間も長くなるという問題があった。
【０００６】
本発明はかかる問題を解決するためになされたものであり、作業者の負担を軽減するとともに作業時間を短くすることができる砂利ネットの洗浄方法、砂利ネットを洗浄する際に好適な砂利ネットを洗浄するためのパレット及び石を洗浄する際に好適な石を洗浄するためのパレットを提供することを課題とする。
【課題を解決するための手段】
【０００７】
このような課題を解決するために本発明は、排水性の土嚢として屋外に設置されるものであって袋状のネットの中に石が充填された砂利ネットを洗浄する方法であって、パレットの上に前記砂利ネットを載置する載置工程と、移動式昇降機を用いて前記パレットを水が貯留された貯水槽内に運ぶ搬送工程と、前記貯水槽内で前記パレットを昇降させて前記砂利ネットを洗浄する洗浄工程と、を含み、前記パレットは、前記砂利ネットが載置される網状かつ平面状の載置板部と、前記載置板部の上に、前記移動式昇降機の一部が係止される部位を備えた係止枠部と、を有し、前記係止枠部は、前記載置板部と前記係止枠部の間に介設されたヒンジ部によって前記載置板部に対して傾倒可能に形成されていること特徴とする。
【０００８】
かかる方法によれば、パレットに排水性の土嚢袋である複数の砂利ネットを載置して、移動式昇降機によってパレットごと貯水槽の水中内で昇降させるだけで、砂利ネットを洗浄することができる。これにより、作業者の負担を軽減することができるとともに作業時間を大幅に短縮できる。移動式昇降機としては、フォークリフトやクレーン車等を用いることができる。
また、例えば、移動式昇降機としてフォークリフトを用いる場合、従来の板状のパレットでは貯水槽内で昇降させることができない。つまり、従来の通常のパレットは、板状部材の対向する側面同士を貫通する係止孔が設けられている。この係止孔にフォークリフトのツメ部を挿入して、貯水槽に搬送しても、ツメ部が貯水槽を構成する壁に当ってしまうため貯水槽内でパレットを昇降させることができない。しかし、本発明の構成によれば、平面状の載置板部の上に係止枠部を備えているため、係止枠部とフォークリフトのツメとの係止位置を、載置される砂利ネットよりも上に設定できるため、貯水槽内で砂利ネットをパレットごと昇降させ、洗浄することができる。
また、前記係止枠部は、前記載置板部と前記係止枠部の間に介設されたヒンジ部によって前記載置板部に対して傾倒可能に形成されているので、係止枠部を折りたたむことによって、パレット自体の持ち運びや収納が容易になる。
【０００９】
また、前記貯水槽は、車両に搭載されており、前記パレット及び前記移動式昇降機とともに移動することが好ましい。
【００１２】
また、本発明は、排水性の土嚢として屋外に設置されるものであって袋状のネットの中に石が充填された砂利ネットを水の中で昇降させて洗浄するためのパレットであって、前記砂利ネットが載置される網状かつ平面状の載置板部と、前記載置板部の上に、移動式昇降機の一部が係止される部位を備えた係止枠部と、前記載置板部と前記係止枠部の間に介設されたヒンジ部と、を有することを特徴とする。
【００１３】
かかる構成によれば、例えば、移動式昇降機としてフォークリフトを用いる場合、係止枠部とフォークリフトのツメ部との係止位置を、載置される砂利ネットよりも上に設定できるため、貯水槽内で砂利ネットをパレットごと昇降させ洗浄することができる。また、ヒンジ部を設けているため、平面状の載置板部に対して係止枠部を傾倒でき、パレット自体の持ち運びや収納が容易になる。
【００１４】
また、本発明は、排水性の土嚢として屋外に設置される砂利ネット内の石を水の中で昇降させて洗浄するためのパレットであって、前記石が載置される網状かつ平面状の載置板部と、前記載置板部の周囲に立設された網状の壁部と、前記壁部の上に、移動式昇降機の一部が係止される部位を備えた係止枠部と、を有し、前記載置板部は、前記壁部に対して開閉可能に形成されており、前記載置板部及び前記壁部の網目は、前記石の粒径よりも小さい寸法で形成されていることを特徴とする。
【００１５】
かかる構成によれば、例えば、移動式昇降機としてフォークリフトを用いる場合、係止枠部とフォークリフトのツメ部との係止位置を、載置される砂利ネットよりも上に設定できるため、貯水槽内で砂利ネットをパレットごと昇降させ、洗浄することができる。一方、排水性の土嚢として屋外に設置される砂利ネット内の石のみを洗浄する場合や、砂利ネットのネットが破損している場合等、洗浄中に石が貯水槽内にこぼれてしまい、こぼれた石の回収作業が煩雑になるという問題がある。しかし、本発明によれば、載置板部及び壁部の網目を砂利ネットに充填された石の粒径よりも小さくなっているため、貯水槽内に石がこぼれるのを防ぐことができる。
また、前記載置板部は、前記壁部に対して開閉可能に形成されているので、載置板部を開放することにより、砕石のみを容易に取り出すことができるため、砕石を新たな砂利ネットを製造する際に再利用することができる。
【発明の効果】
【００１６】
本発明に係る砂利ネットの洗浄方法によれば、作業者の負担を軽減するとともに作業時間を短くすることができる。また、本発明に係る砂利ネットを洗浄するためのパレット及び石を洗浄するためのパレットによれば、好適に洗浄を行うことができる。
【図面の簡単な説明】
【００１７】
【図１】本実施形態に係るパレットを示した一部透過分解斜視図である。
【図２】本実施形態に係る貯水槽を示した斜視図である。
【図３】本実施形態に係る砂利ネットの洗浄方法を示した模式図であって、（ａ）は載置行程、（ｂ）は搬送工程及び洗浄工程を示す。
【図４】パレットの変形例を示した斜視図である。
【発明を実施するための形態】
【００１８】
本発明の実施形態について図面を参照して詳細に説明する。本実施形態に係る砂利ネットの洗浄方法は、パレット、貯水槽及び移動式昇降機を用いて砂利ネットの洗浄を行うものである。まずは、用いる装置の各構成について説明する。説明中の上下左右前後は、図１中の矢印にしたがう。
【００１９】
砂利ネットＪは、図１に示すように、砕石ＳとネットＮとで構成されている。砕石Ｓは単粒砕石であって、ネットＮの内部に充填されている。ネットＮは、袋状になっており、例えば樹脂で構成されている。ネットＮの網目の寸法は、砕石Ｓの粒径よりも小さくなっている。砂利ネットＪは、例えば馬場のダートコースの脇において、ダートコースに沿って複数個並設される。
【００２０】
砂利ネットＪの砕石Ｓ，Ｓ間には目地が形成されており、その目地に水が通るようになっている。砂利ネットＪによれば、ダートコースに敷きつめられている表層材料の外部への流出を防ぐとともに、雨水を透過させて排水することができる。
【００２１】
パレット１は、図１に示すように、載置板部２と、一対の係止枠部３と、ヒンジ部４と、固定バー５とで構成されている。パレット１の材料は特に制限されないが、本実施形態では金属部材で構成されている。
【００２２】
載置板部２は、板状を呈し砂利ネットＪが載置される部位である。載置板部２は、外枠部１１と、外枠部１１の内側に形成された網目部１２とで構成されている。網目部１２は、格子状を呈し上下に貫通している。網目部１２の網目の寸法は、砂利ネットＪを安定して載置できる大きさに設定されている。網目部１２を設けることにより、パレット１を昇降させた際に、砂利ネットＪ内に水が通りやすくなるため、洗浄効率を高めることができる。なお、砂利ネットＪから砕石Ｓがこぼれやすい場合は、網目部１２の網目の寸法を砕石Ｓの粒径よりも小さく設定してもよい。
【００２３】
係止枠部３は、枠状を呈し後記するフォークリフトＦのツメ部Ｆ１が係止される部位である。係止枠部３は、載置板部２の前後方向に対向して一対設けられている。係止枠部３は、載置板部２に立設する一対の立設部２１と、一対の立設部２１に架け渡される横架部２２とで構成されている。立設部２１及び横架部２２はいずれも金属製の角材で構成されている。立設部２１は、載置板部２の角部にそれぞれ立設されている。
【００２４】
係止枠部３の高さは載置する砂利ネットＪの個数や大きさによって適宜設定すればよいが、横架部２２に後記するフォークリフトＦのツメ部Ｆ１を係止させた際に、砂利ネットＪとツメ部Ｆ１とが干渉しないように設定することが好ましい。なお、本実施形態では、係止枠部３の形状は側面視矩形としたが、これに限定されるものではない。係止枠部３は、フォークリフト（移動式昇降機）Ｆの一部が係止可能な部位を備えていればどのような形状であってもよい。
【００２５】
ヒンジ部４は、係止枠部３の両端部に形成され係止枠部３を傾倒可能にする部位である。ヒンジ部４は、載置板部２の角部に形成された一対のヒンジプレート３１とピン３２とで構成されている。一対のヒンジプレート３１は、立設部２１の下部を挟むように形成されている。ピン３２は、ヒンジプレート３１，３１の貫通孔（図示省略）と、立設部２１の下部の貫通孔（図示省略）に挿入されている。これにより、係止枠部３は、載置板部２に対して前後方向に傾倒可能になっている。
【００２６】
固定バー５は、棒状を呈し一対の係止枠部３を起立した状態に維持する部材である。固定バー５は、本体部４１と本体部４１の端部に垂直に設けられた一対の挿入部４２とで形成されている。挿入部４２は、横架部２２，２２の中央に形成された固定孔２２ａ，２２ａにそれぞれ挿入される。固定孔２２ａ，２２ａに固定バー５の挿入部４２が挿入されることにより、一対の係止枠部３を起立した状態に維持することができる。
【００２７】
貯水槽６は、図２に示すように、上方が開放した箱状を呈し内部に水Ｗを貯留する。貯水槽６は、タンク５１と、タンク５１の下部に形成された水抜きパイプ５２とを有する。タンク５１は、その内部においてパレット１が昇降可能な大きさになっている。
【００２８】
次に、砂利ネットの洗浄方法について説明する。本実施形態に係る砂利ネットの洗浄方法では、載置工程と、搬送工程と、洗浄工程とを行う。
【００２９】
載置工程では、図３の（ａ）に示すように、パレット１の上に単数又は複数の砂利ネットＪを載置する。砂利ネットＪは平積みでもよいし、積み上げてもよい。また、載置工程は、人力で行ってもよいし、機械を用いて行ってもよい。載置工程では、固定バー５を一対の係止枠部３に固定する前に砂利ネットＪを載置してもよいし、固定した後に砂利ネットＪを載置してもよい。
【００３０】
搬送工程では、図３の（ａ）及び（ｂ）に示すように、パレット１の一対の横架部２２の下にフォークリフトＦのツメ部Ｆ１を挿入し、車両Ｖの荷台に配置された貯水槽６の内部までパレット１を搬送する。
【００３１】
洗浄工程では、フォークリフトＦによって砂利ネットＪが載置されたパレット１ごと昇降させる。これにより、砂利ネットＪの砕石Ｓ，Ｓ間の目地に詰まった表層材料や、草、根等が分離し、載置板部２の網目部１２や係止枠部３の枠内を通過して、貯水槽６の底部に落下する。複数回昇降させて洗浄が終わったら、貯水槽６からパレット１を引き上げて、砂利ネットＪを元に置いてあった場所に設置する。
【００３２】
以上説明した砂利ネットの洗浄方法によれば、パレット１に複数の砂利ネットＪを載置して、フォークリフト（移動式昇降機）Ｆによってパレット１ごと貯水槽６の水中内で昇降させるだけで、砂利ネットＪを洗浄することができる。これにより、作業者の負担を軽減することができるとともに作業時間を大幅に短縮できる。
【００３３】
また、本実施形態によれば、載置板部２の上に枠状に立設された係止枠部３が形成されているため、係止枠部３の横架部２２とフォークリフトＦのツメ部Ｆ１との係止位置を載置される砂利ネットＪよりも上に設定できる。これにより、パレット１を貯水槽６の内部で昇降させる際に、貯水槽６を構成する壁とツメ部Ｆ１との干渉を回避することができる。また、これにより、例えば、貯水槽６の幅よりもフォークリフトＦのツメ部Ｆ１の長さが大きい場合であっても、洗浄することができる。
【００３４】
また、固定バー５を固定孔２２ａから外すことにより、係止枠部３を倒すことができるため、パレット１を平らにすることができる。これにより、パレット１の搬送及び収納を容易に行うことができる。また、固定バー５を設けることで、一対の係止枠部３を起立した状態に容易に維持することができる。
【００３５】
また、載置板部２は上下に貫通する網目部１２を備えているため、昇降させた際の水の通りが向上し、洗浄効率を高めることができる。また、係止枠部３の前後方向は大きく開放されているため、水の通りが向上し、洗浄効率をより高めることができる。
【００３６】
また、本実施形態では、貯水槽６を車両Ｖの荷台に載せることにより、貯水槽６を移動させながら洗浄を行うことができる。これにより、作業効率を高めることができる。
【００３７】
次に、パレットの変形例について説明する。図４は、パレットの変形例を示した斜視図である。パレット１Ａは、図４に示すように、載置板部６１と、一対の係止枠部７１と、ヒンジ部８１と、壁部９１と、で構成されている。パレット１Ａは、特に、砂利ネットＪのネットＮが破れている場合や石のみを洗浄する場合等に用いられる。
【００３８】
載置板部６１は、外枠部６２と外枠部６２の内側に形成された網目部６３とを有する。網目部６３の網目の寸法は、砂利ネットＪの砕石Ｓが通過しないように、砕石Ｓの粒径よりも小さくなっている。
【００３９】
各係止枠部７１は、一対の立設部７２と、立設部７２に架け渡された横架部７３とを有する。係止枠部７１，７１同士は前後方向に延設されたサポート部８４，８４によって連結されている。
【００４０】
ヒンジ部８１は、一対の立設部７２の下端に取り付けられた一対のヒンジプレート８２（図４では一つのみ描画）とピン８３とで構成されている。載置板部６１の後側は、ヒンジ部８１を介して立設部７２に連結されている。これにより、載置板部６１の前側は、ピン８３を支点に開閉可能になっている。
【００４１】
壁部９１は、隣り合う立設部７２，７２に接続され、載置板部６１の四方の周囲を囲むように形成されている。壁部９１は、板状を呈し網目部９２が形成されている。網目部９２の網目の寸法は、砂利ネットＪの砕石Ｓが通過しないように、砕石Ｓの粒径よりも小さくなっている。壁部９１の前側の下端には、枠状を呈する一対のロック部９３が形成されている。載置板部６１が閉じた状態で、ロック部９３にロックピン（図示省略）を挿入することで、載置板部６１が閉じた状態を維持できる。
【００４２】
パレット１Ａを用いた砂利ネットの洗浄方法は、前記した実施形態と同等であるため説明を省略する。パレット１Ａによれば、載置板部６１の上に枠状に立設された係止枠部７１が形成されているため、係止枠部７１の横架部７３とフォークリフトＦのツメ部Ｆ１との係止位置を、載置される砂利ネットＪよりも上に設定できる。これにより、パレット１Ａを貯水槽６の内部に昇降させる際に、貯水槽６を構成する壁とツメ部Ｆ１との干渉を回避することができる。
【００４３】
ここで、砂利ネットＪは、経年劣化によりネットＮが破ける場合がある。このような場合に、前記した実施形態のパレット１で洗浄を行うと貯水槽６の中に砕石Ｓがこぼれてしまい、その砕石Ｓの回収作業が困難になる。しかし、パレット１Ａによれば、載置板部６１及び壁部９１の網目の寸法を砕石Ｓの粒径よりも小さくしているため、パレット１Ａの外部に砕石Ｓがこぼれるのを防ぐことができる。
【００４４】
また、破れた砂利ネットＪを洗浄した後は、目地に詰まった表層材料や草、根等は貯水槽６の底部に沈み、砕石Ｓはパレット１Ａ内に残留する。ロックピンを外して載置板部６１を開放することにより、砕石Ｓのみを取り出すことができるため、砕石Ｓを新たな砂利ネットＪを製造する際に再利用することができる。
なお、パレット１Ａは、砂利ネットＪとは関係なく、石のみを洗浄する際にも好適に利用することができる。
【００４５】
以上本発明の実施形態について説明したが、本発明の趣旨に反しない範囲において適宜設計変更が可能である。例えば、本実施形態では、移動式昇降機としてフォークリフトを用いたが、移動（自走）可能であって、かつ、物を昇降できる機械であれば、これに限定されるものではない。移動式昇降機は、例えば、クレーン車であってもよい。クレーン車を用いる場合は、係止枠部にワイヤを引掛けて吊り上げて洗浄を行えばよい。
【００４６】
また、本実施形態ではヒンジ部４を用いたが、必要に応じて適宜設ければよい。また、ヒンジ部４の構造については、係止枠部３が傾倒可能であれば他の構造であってもよい。また、本実施形態では係止枠部３を一対設けたが、ヒンジ部４を用いない形態にすることで係止枠部３を一つにすることもできる。また、本実施形態では、砂利ネットＪを馬場のダートコースに設ける場合について例示したが、他の場所に設置する場合においても本発明を適用することができる。
【符号の説明】
【００４７】
１      パレット
２      載置板部
３      係止枠部
４      ヒンジ部
５      固定バー
６      貯水槽
１１    外枠部
１２    網目部
２１    立設部
２２    横架部
９１    壁部
９２    網目部
Ｆ      フォークリフト（移動式昇降機）
Ｆ１    ツメ部
Ｊ      砂利ネット
Ｎ      ネット
Ｓ      砕石
Ｖ      車両
Ｗ      水
【図１】
0005634945.tif 000002
【図２】
0005634945.tif 000003
【図３】
0005634945.tif 000004
【図４】
0005634945.tif 000005